【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
炭素質燃料ガス化の方法であって、前記方法は、
ａ）固体炭素質燃料、水素、および酸素から微粒子化チャー、蒸気、揮発性物質、および水素を生産することと、
ｂ）微粒子化チャー調製システムに流動化蒸気を提供することであって、前記微粒子化チャー調製システムは、脱揮装置を備えている、ことと、
ｃ）間接ガス化器内で微粒子化チャーをガス化することによって合成ガスおよび蒸気を生産することであって、前記間接ガス化器は、ガス化チャンバを有する容器を備えている、ことと、
ｄ）前記間接ガス化器内の燃焼チャンバ内で酸化剤と水素および一酸化炭素の混合物を燃焼させ、耐火性砂の循環を使用してガス化のための熱を提供し、それによって、ＣＯ２を生成することと、
ｅ）前記間接ガス化器の出口に結合された合成ガス冷却器内で蒸気を生成することと、
ｆ）前記生成されたＣＯ２を超臨界ＣＯ２発電サイクルシステムに導くことと
を含む、方法。
【請求項２】
前記燃焼チャンバ内で前記酸化剤と前記水素および一酸化炭素の混合物を燃焼させることは、燃焼生産物システムに導かれる蒸気および窒素を生成し、前記燃焼生産物システムは、断熱カルシウムルーピングを備えている、請求項１に記載の方法。
【請求項３】
前記燃焼チャンバ内で前記酸化剤と前記水素および一酸化炭素の混合物を燃焼させることは、燃焼生産物システムに導かれる蒸気および窒素を生成し、前記燃焼生産物システムは、炭素捕捉システムを備えている、請求項１に記載の方法。
【請求項４】
燃焼器によって生成された前記蒸気および窒素を膨張器に導き、次いで、スタック凝縮器に導くことをさらに含む、請求項３に記載の方法。
【請求項５】
前記燃焼チャンバ内で前記酸化剤と前記水素および一酸化炭素の混合物を燃焼させることは、前記超臨界ＣＯ２発電サイクルシステムに導かれる蒸気を生成する、請求項１に記載の方法。
【請求項６】
前記方法は、全蒸気ガス化を実施することをさらに含む、請求項１に記載の方法。
【請求項７】
前記酸化剤は、酸素を備えている、請求項１に記載の方法。
【請求項８】
前記酸化剤は、空気を備えている、請求項１に記載の方法。
【請求項９】
燃焼チャンバ内で前記酸化剤と前記水素および一酸化炭素の混合物を燃焼させることは、ＣＯ２を前記酸化剤に添加することをさらに含む、請求項１に記載の方法。
【請求項１０】
前記炭素質燃料は、石炭を備えている、請求項１に記載の方法。
【請求項１１】
前記微粒子化チャーをガス化することは、前記微粒子化チャー調製システムから前記間接ガス化器に揮発性物質を提供することを含む、請求項１に記載の方法。
【請求項１２】
前記脱揮装置の加熱圧力容器の中に流動化蒸気を注入し、前記加熱圧力容器から揮発性物質および粗粒チャーを除去することをさらに含む、請求項１に記載の方法。
【請求項１３】
サイクロンを使用して揮発性物質から粗粒チャーを分離し、前記分離された粗粒チャーを前記微粒子化チャー調製システムの中に注入し、前記揮発性物質を前記間接ガス化器の中に注入することをさらに含む、請求項１に記載の方法。
【請求項１４】
間接ガス化器燃焼器によって生成された前記蒸気およびＣＯ２を、前記超臨界ＣＯ２発電サイクルシステムの入力に導く前に、燃焼調整システムの生産物に導くことをさらに含む、請求項１に記載の方法。
【請求項１５】
合成ガス浄化システムを使用して不純物を低減させるように前記合成ガスを処理することをさらに含む、請求項１に記載の方法。
【請求項１６】
蒸気加熱器から前記ガス化チャンバ内に蒸気を受け取ることをさらに含む、請求項１に記載の方法。
【請求項１７】
熱回収システムから前記ガス化チャンバ内に蒸気を受け取ることをさらに含む、請求項１に記載の方法。
【請求項１８】
前記合成ガス冷却器によって生成された前記蒸気を小型蒸気サイクルに導くことをさらに含む、請求項１に記載の方法。
【請求項１９】
前記超臨界ＣＯ２発電サイクルシステムは、前記小型蒸気サイクルを備えている、請求項１８に記載の方法。
【手続補正２】
【補正対象書類名】明細書
【補正対象項目名】０００７
【補正方法】変更
【補正の内容】
【０００７】
好ましい例示的実施形による、本教示は、そのさらなる利点とともに、付随の図面と併せて検討される以下の詳細な説明においてより具体的に説明される。当業者は、下記に説明される図面が、例証目的のためだけのものであることを理解するであろう。図面は、必ずしも縮尺通りではなく、代わりに、概して、本教示の原理を図示することに重点が置かれている。図面は、本出願者の教示の範囲をいかようにも限定することを意図していない。
本発明は、例えば、以下を提供する。
（項目１）
超臨界ＣＯ２発電サイクルシステムのための炭素質燃料ガス化システムであって、前記炭素質燃料ガス化システムは、
ａ）脱揮装置を備えている微粒子化チャー調製システムであって、前記微粒子化チャー調製システムは、固体炭素質燃料、水素、酸素、および流動化蒸気を受け取り、１つ以上の出口において微粒子化チャー、蒸気、水素、および揮発性物質を生産するように構成されている、微粒子化チャー調製システムと、
ｂ）間接ガス化器であって、前記間接ガス化器は、
ｉ．ガス化チャンバを備えている容器であって、前記容器は、前記微粒子化チャー調製システムの前記１つ以上の出口からの前記微粒子化チャー、搬送ガス、および蒸気を受け取るように構成され、前記ガス化チャンバは、１つ以上の出口において合成ガス、灰、および蒸気を提供する、容器と、
ｉｉ．燃焼チャンバであって、前記燃焼チャンバは、合成ガスおよび酸化剤を受け取り、前記酸化剤と合成ガスの混合物を燃焼させ、ガス化のための熱、および流入する流動を加熱するための熱を提供し、それによって、蒸気およびＣＯ２を生成するように構成され、前記燃焼チャンバは、循環する耐火性砂を使用して、前記燃焼チャンバから前記ガス化チャンバにガス化のための熱を伝達するようにさらに構成されている、燃焼チャンバと
を備えている、間接ガス化器と、
ｃ）前記間接ガス化器の前記ガス化チャンバの前記１つ以上の出口のうちの１つに結合された入口を有する合成ガス冷却器であって、前記合成ガス冷却器は、前記合成ガスを冷却し、出力において蒸気を生成するように構成されている、合成ガス冷却器と、
ｄ）前記合成ガス冷却器の出力に結合された入力を有する超臨界ＣＯ２発電サイクルシステムと
を備え、
前記超臨界ＣＯ２発電サイクルシステムは、電力を生成するための超臨界ＣＯ２発電サイクルを実施する、炭素質燃料ガス化システム。
（項目２）
前記容器は、前記燃焼チャンバを備えている、項目１に記載の炭素質燃料ガス化システム。
（項目３）
前記間接ガス化器は、前記微粒子化チャー調製システムの前記出口のうちの１つから揮発性物質および水素を受け取るように構成されている、項目１に記載の炭素質燃料ガス化システム。
（項目４）
前記脱揮装置は、流動化蒸気を注入するための入口と、揮発性物質および粗粒チャーを除去するための少なくとも１つの出口とを備えている加熱圧力容器を備えている、項目１に記載の炭素質燃料ガス化システム。
（項目５）
前記微粒子化チャー調製システムの出口に結合されたサイクロンをさらに備え、前記サイクロンは、揮発性物質から粗粒チャーを分離し、第１の出口において粗粒チャーを提供し、前記間接ガス化器の入力に結合された第２の出口に揮発性物質を提供する、項目１に記載の炭素質燃料ガス化システム。
（項目６）
前記微粒子化チャー調製システムは、石炭を備えている炭素質燃料を受け取るように構成されている、項目１に記載の炭素質燃料ガス化システム。
（項目７）
前記間接ガス化器の燃焼器によって生成された前記蒸気、窒素、およびＣＯ２は、ＣＯ２を除去するために断熱カルシウムルーピングを実施する燃焼生産物システムに導かれる、項目１に記載の炭素質燃料ガス化システム。
（項目８）
前記除去されたＣＯ２は、前記超臨界ＣＯ２発電サイクルシステムに移送される、項目７に記載の炭素質燃料ガス化システム。
（項目９）
前記合成ガス冷却器から蒸気を受け取る小型蒸気サイクルをさらに備えている、項目１に記載の炭素質燃料ガス化システム。
（項目１０）
前記超臨界ＣＯ２発電サイクルシステムは、前記小型蒸気サイクルを備えている、項目９に記載の炭素質燃料ガス化システム。
（項目１１）
ガス化のための熱、および流入する流動を加熱するための熱を提供するために前記酸化剤と前記合成ガスの前記混合物を燃焼させる前記燃焼チャンバは、蒸気および窒素をさらに生成する、項目１に記載の炭素質燃料ガス化システム。
（項目１２）
ドライバおよびスタック凝縮器に接続された膨張器をさらに備え、前記膨張器は、前記間接ガス化器の前記燃焼チャンバによって生成された前記蒸気および窒素を受け取る、項目１１に記載の炭素質燃料ガス化システム。
（項目１３）
前記ドライバは、発電機を備えている、項目１２に記載の炭素質燃料ガス化システム。
（項目１４）
前記合成ガス冷却器の出口から前記合成ガスを受け取る入力を有する合成ガス浄化システムをさらに備え、前記合成ガス浄化システムは、不純物を分離するように前記合成ガスを処理する、項目１に記載の炭素質燃料ガス化システム。
（項目１５）
合成ガス圧縮機をさらに備え、前記合成ガス圧縮機は、分離された不純物を伴う前記合成ガスを圧縮し、圧縮された分離された不純物を伴う合成ガスを前記超臨界ＣＯ２発電サイクルシステムに提供する、項目１４に記載の炭素質燃料ガス化システム。
（項目１６）
前記ガス化チャンバは、前記微粒子化チャー調製システムの前記１つ以上の出口から蒸気を受け取る、項目１に記載の炭素質燃料ガス化システム。
（項目１７）
前記ガス化チャンバは、熱回収システムの出口から蒸気を受け取る、項目１に記載の炭素質燃料ガス化システム。
（項目１８）
前記微粒子化チャー調製システムは、向流チャー冷却器であって、前記向流チャー冷却器は、それが前記チャーを冷却しているときに蒸気を予熱する、向流チャー冷却器と、圧力降下弁と、前記チャーの平均サイズを１０μを下回るまで低減させる粉砕機と、前記微粒子化チャーを前記入口まで再加圧するエアロックとをさらに備えている、項目１に記載の炭素質燃料ガス化システム。
（項目１９）
炭素質燃料ガス化の方法であって、前記方法は、
ａ）固体炭素質燃料、水素、および酸素から微粒子化チャー、蒸気、揮発性物質、および水素を生産することと、
ｂ）脱揮装置を備えている微粒子化チャー調製システムを用いて蒸気を流動化させることと、
ｃ）ガス化チャンバを有する容器を備えている間接ガス化器を用いて前記生産された微粒子化チャーから合成ガスおよび蒸気を生産することと、
ｄ）前記間接ガス化器内の燃焼チャンバ内で酸化剤と水素および一酸化炭素の混合物を燃焼させ、ガス化のための熱および流入するガス流を加熱するための熱を提供し、それによって、ＣＯ２を生成することと、
ｅ）前記間接ガス化器に結合された合成ガス冷却器を用いて蒸気を生成することと、
ｆ）前記間接ガス化器によって生成されたＣＯ２を超臨界ＣＯ２発電サイクルシステムに導くことと
を含む、方法。
（項目２０）
前記燃焼チャンバ内で前記酸化剤と前記水素および一酸化炭素の混合物を燃焼させ、ガス化のための熱および流入するガス流を加熱するための熱を提供することは、断熱カルシウムルーピングを伴う燃焼生産物システムに導かれる蒸気および窒素を生成する、項目１９に記載の方法。
（項目２１）
前記燃焼チャンバ内で前記酸化剤と前記水素および一酸化炭素の混合物を燃焼させ、ガス化のための熱および流入するガス流を加熱するための熱を提供することは、炭素捕捉システムを伴う燃焼生産物システムに導かれる蒸気および窒素を生成する、項目１９に記載の方法。
（項目２２）
前記燃焼器によって生成された前記蒸気および窒素を膨張器に導き、次いで、スタック凝縮器に導くことをさらに含む、項目２１に記載の方法。
（項目２３）
前記燃焼チャンバ内で前記酸化剤と前記水素および一酸化炭素の混合物を燃焼させ、ガス化のための熱および流入するガス流を加熱するための熱を提供することは、前記超臨界ＣＯ２発電サイクルシステムに導かれる蒸気を生成する、項目１９に記載の方法。
（項目２４）
前記方法は、全蒸気ガス化を実施することをさらに含む、項目１９に記載の方法。
（項目２５）
前記酸化剤は、酸素を備えている、項目１９に記載の方法。
（項目２６）
前記酸化剤は、空気を備えている、項目１９に記載の方法。
（項目２７）
燃焼チャンバ内で前記酸化剤と前記水素および一酸化炭素の混合物を燃焼させることは、ＣＯ２を前記酸化剤に添加することをさらに含む、項目１９に記載の方法。
（項目２８）
前記炭素質燃料は、石炭を備えている、項目１９に記載の方法。
（項目２９）
前記合成ガスを生産することは、前記微粒子化チャー調製システムから前記間接ガス化器に揮発性物質を提供することを含む、項目１９に記載の方法。
（項目３０）
前記脱揮装置内の加熱圧力容器の中に流動化蒸気を注入し、前記加熱圧力容器から揮発性物質および粗粒チャーを除去することをさらに含む、項目１９に記載の方法。
（項目３１）
サイクロンを用いて揮発性物質から粗粒チャーを分離し、前記分離された粗粒チャーを前記微粒子化チャー調製システムの中に注入し、前記揮発性物質を前記間接ガス化器の中に注入することをさらに含む、項目１９に記載の方法。
（項目３２）
前記間接ガス化器燃焼器によって生成された前記蒸気およびＣＯ２を前記超臨界ＣＯ２発電サイクルシステムの前記入力に導く前に、それを燃焼調整システムの生産物に導くことをさらに含む、項目１９に記載の方法。
（項目３３）
合成ガス浄化システムを用いて不純物を低減させるように前記合成ガスを処理することをさらに含む、項目１９に記載の方法。
（項目３４）
蒸気加熱器から前記ガス化チャンバ内に蒸気を受け取ることをさらに含む、項目１９に記載の方法。
（項目３５）
熱回収システムから前記ガス化チャンバ内に蒸気を受け取ることをさらに含む、項目１９に記載の方法。
（項目３６）
前記間接ガス化器を用いて前記微粒子化チャーから合成ガスおよび蒸気を生産することは、前記間接ガス化器に前記微粒子化チャー調製システムからの揮発性物質を提供することをさらに含む、項目１９に記載の方法。
（項目３７）
前記合成ガス冷却器によって生成された前記蒸気を小型蒸気サイクルに導くことをさらに含む、項目１９に記載の方法。
（項目３８）
前記超臨界ＣＯ２発電サイクルシステムは、前記小型蒸気サイクルを備えている、項目３７に記載の方法。